(57)【特許請求の範囲】
【請求項１】
調量操作レバー（５）、調量弁操作ロッド（１３）及び調量アーム（１１）を介して弁駆動軸（９）を回動させて調量弁（４）を開閉操作する散布機の調量アーム装置（１０）において、前記調量アーム（１１）の基端に前記弁駆動軸（９）の一端が固定されるとともに、前記調量アーム（１１）の揺動端側の長手方向に沿って前記調量弁操作ロッド（１３）の先端部（１３ａ）が挿入されて連結自在となる調整穴（１９ｂ）、（２０ｂ）が複数それぞれ独立して形成されてなり、前記調整穴（１９ｂ）、（２０ｂ）と前記調量弁操作ロッド（１３）のワンタッチで挿入係止及び抜脱可能を、該調量弁操作ロッド（１３）の先端部（１３ａ）に設けた手動解除自在の調量アーム（１１）の挟持手段（３１）を設けることにより行うことを特徴とする散布機の調量アーム装置。
【発明の詳細な説明】
【０００１】
【発明の属する技術分野】
本発明は、例えば、粉粒状の薬剤等の散布作業において、必要とする薬剤等の吐出量（同散布量…以下同じ）の設定調整を、調量アームに対する調量弁操作ロッドのワンタッチ係合で行なうことができる散布機の調量アーム装置に関する。
【０００２】
【従来の技術】
例えば、粉粒状の薬剤等の散布作業に使用される動力散布機は、必要とする量の薬剤等を散布するために、薬剤タンクと送風機との間にスライドシャッター方式等の調量弁を設け、薬剤タンクから送風機の吐出口側への薬剤等の供給量を制御している。そして、前記調量弁は、操作者が手で調量操作レバーを操作することにより、調量弁操作ロッド及び調量アームを介して弁駆動軸を回動させて開閉調節され、必要とする薬剤等の吐出量の開度に設定調整するものであった。
【０００３】
すなわち、前記調量弁を開閉調節することにより、例えば、近年一般的になってきた１０アール当たり１キロを散布する粒剤、３キロを散布する粒剤あるいはさらに増量して散布するものに対応して吐出量を設定調整していた。それら吐出量の設定調整は、従来、前記調量アームのレバー比の変更に伴う前記弁駆動軸の回動角度範囲の変更により行われている。
【０００４】
そして、該弁駆動軸の回動角度範囲の変更は、例えば、前記調量アームの揺動端に前記調量操作レバーで操作される前記調量弁操作ロッドを連結し、基端に前記弁駆動軸がスライド及び固定自在となる長穴を設けたり、あるいは、前記調量アームの基端に弁駆動軸を固定し、揺動端側に調量操作レバーで操作される調量弁操作ロッドの先端が着脱自在に挿入される複数の調整穴を前記調量アームの長手方向に沿って設けたり（実開平４ー５７２５５号公報参照）して前記レバー比を変更することにより前記調量弁の開度を設定調整していた。その他、前記調量弁操作ロッドの長さを適宜調整する方法もあった。
【０００５】
なお、前記構成は、いわゆるスライドシャッター方式の調量弁の他、バタフライ方式の調量弁においても基本的には同様であった。
【０００６】
【問題が解決しようとする課題】
本発明は、前記調量アームの揺動端側に設けた複数のそれぞれ独立した調整穴のいずれかに調量弁操作ロッドの先端を挿入して連結するに際し、ワンタッチで挿入係止及び抜脱可能とするものである。
【０００７】
従来、前記調量アームの揺動端側に設けた複数の調整穴と調量弁操作ロッドとの連結は、該調量弁操作ロッドの先端部を前記調量アームの所定の調整穴に挿入し、その抜止めとして割りピン、βピン、サークリップ等を利用していた（特願平７ー９１３６０号参照）。
【０００８】
しかしながら、薬剤散布作業に先立って作業者が必要とする薬剤等の吐出量を設定及び変更するたびに前記割りピン、βピン、サークリップ等を一度外し、変更作業後に再び装着しなければならず、作業現場においてそれらの抜止め部材を紛失したりして、作業を中断せざるを得ない等の問題や、作業中に調節締め付け部が緩んでしまうといった不具合があった。
【０００９】
本発明は前記事情に鑑みてなされたもので、薬剤等の散布作業時における必要とする薬剤等の吐出量の設定調整を、従来のごとく独立した抜止め部材を使用することなく、ワンタッチ操作で行うことができる散布機の調量アーム装置を提供することを目的とする。
【００１０】
【課題を解決するための手段】
前記課題を解決するため、本発明は、調量操作レバー、調量弁操作ロッド及び調量アームを介して、弁駆動軸を回動させて調量弁を開閉操作する散布機の調量アーム装置において、前記調量アームの基端に前記弁駆動軸の一端を固定し、前記調量アームの揺動端側の長手方向に沿って前記調量弁操作ロッドの先端部が挿入されて連結自在となる調整穴が複数それぞれ独立して形成し、前記調整穴と前記調量弁操作ロッドのワンタッチで挿入係止及び抜脱可能を、前記調量弁操作ロッドの先端部に設けた手動解除自在の調量アームの挟持手段を設けることにより行える構成としたものである。
【００１１】
【発明の実施の形態】
以下、本発明の実施の形態を図面に基づいて説明する。図１は本発明の関連技術を示す調量アーム装置を有する背負式動力散布機の要部分解斜視図、図２は図１の調量アーム装置の要部分解斜視図、図３は図２の調量アーム装置を弁駆動軸方向から見た正面図、図４は図３のＩＶ−ＩＶ矢視断面図、図５は本発明に係る調量アーム装置の斜視図、図６は図５の調量アーム装置の分解斜視図である。
【００１２】
図１に示された背負式動力散布機は、図示されていない原動機で駆動される送風機１と、該送風機１の上方に配置される薬剤タンク２とが背負架３に載架されるとともに、前記薬剤タンク２と前記送風機１との間には、前記薬剤タンク２から前記送風機１の吐出口１ａ側へ供給される薬剤等の供給量を制御するように調量弁４が配置されて構成される。さらに、操作者によって操作される前記調量弁４の弁開度を調節するための調量操作レバー５と、前記送風機１の前記吐出口１ａからの薬剤等を含んだ吐出気流を外部周囲に散布するための噴管６とが、それぞれ適位置に設けられて構成されている。
【００１３】
そして、前記調量弁４は、図示されているように、吐出制御板７と、横方向へ滑動する中板（図示せず）を備えたスライドシャッター８とで構成されており、該スライドシャッター８と前記吐出制御板７のそれぞれには、薬剤の通過できる複数の開口部が形成され、該複数の開口部が開閉自在となるように構成されている。
【００１４】
すなわち、前記スライドシャッター８の下面部には、該下面部に突設せしめた前記中板の係止部（図示せず）に係合する係合部９ａを有する弁駆動軸９が配設され、該弁駆動軸９を回動させることによって前記スライドシャッター８の前記中板が横方向へ滑動させられて前記調量弁４の開度が変化させられ、前記薬剤タンク２から前記送風機１の前記吐出口１ａ側への薬剤等の供給量が制御される構成になっている。
【００１５】
本発明は、前記のごとき散布機において、前記調量弁４の開度を調節して前記送風機１の前記吐出口１ａ側への薬剤の供給量を制御するための調量アーム装置１０に関する。
【００１６】
前記本発明の関連技術を示す調量アーム装置１０は、図１に示されているように、前記スライドシャッター８の下面に配設されて機体の前後方向に伸びる前記弁駆動軸９と、機体の左右方向に伸びる調量アーム１１及び前記調量操作レバー５に継手１２を介して連結された上下方向に伸びる調量弁操作ロッド１３とで構成されている。
【００１７】
すなわち、図１乃至図４に示された前記調量アーム１１は、機体の左右方向に伸びるアーム板１１ａと、該アーム板１１ａの略々半分強の長さの補助板１１ｂで構成されている。該補助板１１ｂが前記アーム板１１ａの前記調量弁操作ロッド１３の連結側に適合させられ、最終的に前記補助板１１ｂと前記アーム板１１ａがビス１４及び１５によって二枚重ねに一体構成されている。
【００１８】
そして、前記調量アーム１１の基端側、すなわち、前記調量弁操作ロッド１３の連結部との反対側に前記弁駆動軸９の一端が固定される。具体的には、前記調量アーム１１のアーム板１１ａの一端に形成した挿通穴１６に前記弁駆動軸９の先端に構成した雄ネジ部９ｂが挿通され、ナット１８により、相互に位置ずれを生ぜぬように強固に固定される。
【００１９】
さらに、前記調量アーム１１の揺動端側の長手方向に沿って、前記調量弁操作ロッド１３の先端部１３ａが挿通されて連結自在となる調整穴１９、２０が複数それぞれ独立して設けられ、該調整穴１９、２０に前記調整弁操作ロッド１３の先端部１３ａがワンタッチで挿入係止及び抜脱可能に構成されている。なお、図面では、前記のごとく調整穴が２個設けられているが、他に増量用、３キロ用及び１キロ用等の複数の調整穴を適宜設けることができる。
【００２０】
さらに、前記調整穴１９、２０と前記調量弁操作ロッド１３の前記先端部１３ｂのワンタッチで挿入係止及び抜脱可能を、前記調整穴１９、２０の内部にそれぞれ該調整穴１９、２０の内径より小径の内径を有するＳＵＳ鋼線を成形した切欠きリング等の弾性リング２１を設け、前記調量弁操作ロッド１３の前記先端部１３ａの外周面に前記弾性リング２１が係脱自在に嵌合する凹溝２３を設けて行っている。
【００２１】
すなわち、前記調量アーム１１を構成する前記アーム板１１ａと前記補助板１１ｂとの二枚重ね構成に先立ち、前記アーム板１１ａと前記補助板１１ｂの接合部の前記調整穴１９、２０部分に、それぞれ該調整穴１９及び２０の内径より小径の内径を有する前記弾性リング２１を介在させている。具体的には、前記補助板１１ｂの前記アーム板１１ａとの接合面側に、前記弾性リング２１を受け入れる該弾性リング２１の外径より少々大きめの座ぐり部２２を形成して前記弾性リング２１を収容している。
【００２２】
他方、前記調量弁操作ロッド１３の前記先端部１３ａは、略９０°に後方へ向けて湾曲させられて前記調整穴１９、２０に挿入自在の径に構成されるとともにその先端部１３ａの外周面に前記弾性リング２１が係脱自在に嵌合する前記凹溝２３が形成される。前記構成においては、前記調量弁操作ロッド１３の屈曲させられた前記先端部１３ａを、前記調整穴１９あるいは２０に、ワンタッチで挿入係止及び抜脱可能である。
【００２３】
すなわち、前記調整穴１９あるいは２０に前記調量弁操作ロッド１３の先端部１３ａを挿入すれば、当初は前記弾性リング２１が前記調量弁操作ロッド１３の先端部１３ａにより一旦外側に押し広げられ、該先端部１３ａに形成された前記凹溝２３が前記弾性リング２１部に至ると、該弾性リング２１がその弾性力により元の状態に戻り、前記凹溝２３に適合し容易に抜脱することがない。しかしながら、前記弾性リング２１が前記凹溝２３に嵌合しているだけの構成であるので、所定以上の力で引っ張れば、簡単に抜き取ることができる。
【００２４】
前記構成の調量アーム１０は、従来と同様に散布機における薬剤等の吐出量の設定調整が、調量アーム装置１０を構成する調量アーム１１のレバー比、すなわち、該調量アーム１１と、該調量アーム１１の基端に固定される弁駆動軸９、及び揺動端側に連結される調量弁操作ロッド１３との連結位置関係の変更で行われる。したがって、薬剤等の吐出量を変更する場合には、前記調量弁操作ロッド１３の先端部１３ａを調量アーム１１の揺動端側に形成された調整穴１９あるいは２０のいずれから一旦抜き取り、実際の散布作業上必要とする薬剤等の吐出量に対応した調整穴２０あるいは１９のいずれかに再び貫通させるだけで、ワンタッチで再連結が完了する。
【００３３】
図５及び図６には、本発明が示されている。本発明においても、動力散布機の調量アーム装置１０を構成する調量アーム１１の基端側と弁駆動軸９との固定は、前記の関連技術と同様であり、前記調量アーム１１の揺動端側と調量弁操作ロッド１３との連結は、前記調量アーム１１の揺動端側に必要とする薬剤等の吐出量を設定調整行うための肥料用調整穴２８、調整穴１９ｂ、２０ｂが間隔をあけて設けられ、それら肥料用調整穴２８、及び調整穴１９ｂ、２０ｂが、前記図２乃至図４に示すような、アーム板１１ａ、該アーム板１１ａの略々半分強の長さの補助板１１ｂ、ビス１４、１５及び弾性リング２１を必要とせず、単に前記調量弁操作ロッド１３の先端部１３ａが挿入されるだけの貫通穴として形成される。なお、図面実施例のごとく前記調量弁操作ロッド１３の前記先端部１３ａの先端は、予め面取りを施して、前記肥料用調整穴２８、調整穴１９ｂ、２０ｂへの挿入を容易にせしめておくことが望ましい。
【００３４】
なお、前述した本発明の関連技術と同構成部分には同一符号を付し、以下において異なる部分についてのみ説明する。
【００３５】
すなわち、本発明では、前記調量弁操作ロッド１３の先端部１３ａに手動解除自在の調量アーム１１の挟持手段としての挟持部材３１を設けたものである。
【００３６】
具体的には、まず、前記調量弁操作ロッド１３の先端部１３ａの外側面部に、該先端部１３ａを突出させた状態で逆Ｌ字形状のピン支持板３２が溶接等により固着される。そして、該ピン支持板３２の外側面の下部にピン３３が溶接等により植設され、さらに、前記ピン支持板３２の後端の一部を前記ピン３３側に折曲げてストッパー部３２ａが構成される。
【００３７】
そして、前記ピン３３に前記ピン支持板３２、具体的には、該ピン支持板３２に構成された前記ストッパー部３２ａとの間で前記調量アーム１１を挟持する前記手動解除自在の挟持部材３１が取付けられる。
【００３８】
具体的には、該挟持部材３１は、それぞれ前記ピン３３の挿通孔３１ａを有し、適当間隔をあけて設けた左右二枚の支持部３１ｂ、３１ｂと、該支持部３１ｂ、３１ｂと直角方向、すなわち、前記調量アーム１１と同方向に、該調量アーム１１の受入凹部３１ｃを存して折曲げられた挟持片部３１ｄ、及びその下部に一体に延長された挟持解除つまみ部３１ｅにより構成され、常時は後述するスプリング３４の力で前記挟持片部３１ｄが前記ピン支持板３２の前記ストッパー部３２ａに押圧させられる構成とされる。
【００３９】
すなわち、前記ピン３３の前記二枚の支持部３１ｂ、３１ｂ間の部分に前記スプリング３４の主部が巻装され、該巻装された前記スプリング３４の上端３４ａが、前記調量弁操作ロッド１３の前記先端部１３ａ側に係止させられ、前記スプリング３４の下端３４ｂが、前記挟持部材３１の前記挟持解除つまみ部３１ｅの内側面に係止させられ、該挟持解除つまみ部３１ｅを外方、すなわち、前記調量弁操作ロッド１３と反対側に常時付勢している。その結果、前記挟持解除つまみ部３１ｅの上部の前記挟持片部３１ｄが、前記調量弁操作ロッド１３側、具体的には、該調量弁操作ロッド１３に固着された前記ピン支持板３２の前記ストッパー部３２ａに常時押圧させられている。
【００４０】
なお、通常は、前記調量弁操作ロッド１３の前記先端部１３ａが、前記調量アーム１１の揺動端側に形成された前記肥料用調整穴２８、あるいは調整穴１９ｂ、２０ｂのいずれかに挿入した状態とされ、前記調量アーム１１の揺動端が、前記挟持部材３１の支持部３１ｂと挟持片部３１ｄ間の受入凹部３１ｃに位置した状態になり、その結果、前記スプリング３４による付勢力によって、前記挟持部材３１の前記挟持片部３１ｄが前記調量アーム１１の揺動端部に押圧させられ、前記挟持片部３１ｄが、前記調量アーム１１の揺動端を前記ピン支持板３２の前記ストッパー部３２ａとの間に洗濯バサミの如く挟持して、前記調量アーム１１の肥料用調整穴２８、あるいは調整穴１９ｂ、２０ｂから前記調量弁操作ロッド１３の先端部１３ａが抜脱することが防止される。
【００４１】
つぎに、前記調量アーム１１の肥料用調整穴２８、あるいは調整穴１９ｂ、２０ｂのいずれかに前記調量弁操作ロッド１３の先端部１３ａを変更挿入連結する場合には、前記挟持部材３１の前記挟持解除つまみ部３１ｅを、指先等で前記調量弁操作ロッド１３側に押圧すればよい。その結果、前記調量アーム１１の揺動端部が前記挟持部材３１の前記挟持片部３１ｄと、前記ピン支持板３２の前記ストッパー部３２ａとの間から解放される。
【００４２】
その後、前記挟持部材３１の前記挟持解除つまみ部３１ｅを指先等で前記調量弁操作ロッド１３側に押圧したまま前記挟持片部３１ｄ側を開き、前記調量アーム１１の肥料用調整穴２８、あるいは調整穴１９ｂ、２０ｂから、前記調量弁操作ロッド１３の先端部１３ａを抜脱すればよい。
【００４３】
そして、新たに吐出量を設定する場合には、前記調量弁操作ロッド１３の先端部１３ａを希望する前記調量アーム１１の肥料用調整穴２８、あるいは調整穴１９ｂ、２０ｂのいずれかに適合させた後、前記挟持部材３１の前記挟持解除つまみ部３１ｅへの指先等による押圧を解除すれば、前記スプリング３４による付勢力によって前記挟持部材３１の挟持片部３１ｄが、前記調量弁操作ロッド１３側、すなわち、前記調量アーム１１の揺動端部に当接して、該揺動端部を前記ピン支持板３２の前記ストッパー部３２ａとの間で挟持して、前記調量弁操作ロッド１３の抜脱が防止される。
【００４４】
すなわち、希望する前記調量アーム１１の肥料用調整穴２８、あるいは調整穴１９ｂ、２０ｂのいずれかに、前記調量弁操作ロッド１３の先端部１３ａをワンタッチで挿入係止及び抜脱可能である。
【００４５】
【発明の効果】
本発明によれば、薬剤等の散布作業時における必要とする薬剤等の吐出量の設定調整をワンタッチ操作で行うことができ、独立した抜止め部材を使用しないため、その紛失等に伴う諸問題を解決することができる。
【図面の簡単な説明】
【図１】本発明の関連技術を示す調量アーム装置を有する背負式動力散布機の要部分解斜視図である
【図２】図１の調量アーム装置の要部分解斜視図である。
【図３】図２の調量アーム装置を弁駆動軸方向から見た正面図である。
【図４】図３ＩＶ−ＩＶ矢視断面図である。
【図５】本発明に係る調量アーム装置の斜視図である。
【図６】図５の調量アーム装置の分解斜視図である。
【符号の説明】
４      調量弁
５      調量操作レバー
９      弁駆動軸
１０    調量アーム装置
１１    調量アーム
１３    調量弁操作ロッド
１３ａ  先端部
１９ｂ、２０ｂ  調整穴
３１    挟持部材（挟持手段）
【図１】
0003587629.tif 000002
【図２】
0003587629.tif 000003
【図３】
0003587629.tif 000004
【図４】
0003587629.tif 000005
【図５】
0003587629.tif 000006
【図６】
0003587629.tif 000007